(57)【要約】【課題】  除菌装置の発する熱による除菌装置の寿命低下を抑制することのできる給湯装置を提供する。【解決手段】  本発明に係る給湯装置は、浴槽８０内の浴水をふろ循環回路２８に循環させるふろ循環ポンプ１８と、浴水の除菌を行う除菌装置２６と、除菌装置２６の温度を検出する除菌装置温度検出部２７と、ふろ循環ポンプ１８と除菌装置２６とを運転させる第１の除菌運転中に、除菌装置温度検出部２７で検出された温度が第１の設定温度を超えた場合、除菌装置２６を停止させ、ふろ循環ポンプ１８の運転を継続させる制御部と、を備えたものである。【選択図】  図１
2020106179.tif 000002
【特許請求の範囲】
【請求項１】
浴槽内の浴水をふろ循環回路に循環させるふろ循環ポンプと、
前記ふろ循環回路に設けられ、前記浴水の除菌を行う除菌装置と、
前記除菌装置の温度を検出する除菌装置温度検出部と、
前記ふろ循環ポンプと前記除菌装置とを運転させる第１の除菌運転中に、前記除菌装置温度検出部で検出された温度が第１の設定温度を超えた場合、前記除菌装置を停止させ、前記ふろ循環ポンプの運転を継続させる制御部と、
を備えた給湯装置。
【請求項２】
前記制御部は、前記除菌装置を停止させた後、前記除菌装置温度検出部で検出された温度が前記第１の設定温度より低い第２の設定温度を下回った場合、前記除菌装置を運転させる請求項１に記載の給湯装置。
【請求項３】
前記制御部は、前記除菌装置温度検出部で検出された温度が前記第２の設定温度を下回らないまま、前記除菌装置の停止から第１の設定時間を経過した場合、前記除菌装置に異常があると判断し、前記第１の除菌運転を終了させる請求項２に記載の給湯装置。
【請求項４】
前記除菌装置の運転状態を表示する表示部を備え、
前記制御部は、前記除菌装置に異常があると判断し、前記第１の除菌運転を終了させた場合、前記表示部に、前記除菌装置が異常により停止した旨の表示をさせる請求項３に記載の給湯装置。
【請求項５】
前記制御部は、前記除菌装置に異常があると判断し、前記第１の除菌運転を終了させた場合、前記ふろ循環回路内に、前記ふろ循環回路内の浴水よりも低い温度の水を、前記ふろ循環回路外から流入させる請求項３又は４に記載の給湯装置。
【請求項６】
貯湯タンク内の貯湯水と前記浴槽内の浴水とを熱交換する熱交換器を備え、
前記制御部は、前記除菌装置に異常があると判断し、前記第１の除菌運転を終了させた場合、前記浴水と、前記浴水よりも低い温度の前記貯湯水とを前記熱交換器で熱交換させる請求項３〜５のいずれか一項に記載の給湯装置。
【請求項７】
浴槽内の浴水をふろ循環回路に循環させるふろ循環ポンプと、
前記ふろ循環回路に設けられ、前記浴水の除菌を行う除菌装置と、
前記除菌装置の温度を検出する除菌装置温度検出部と、
前記ふろ循環回路内の前記浴水中に気泡を発生させる気泡発生装置と、
前記ふろ循環ポンプと前記除菌装置と前記気泡発生装置とを運転させる第２の除菌運転中に、前記除菌装置温度検出部で検出された温度が第３の設定温度を超えた場合、前記気泡発生装置を停止させ、前記ふろ循環ポンプおよび前記除菌装置の運転を継続させる制御部と、
を備えた給湯装置。
【請求項８】
前記制御部は、前記気泡発生装置を停止させた後、前記除菌装置温度検出部で検出された温度が前記第３の設定温度より低い第４の設定温度を下回った場合、前記気泡発生装置を運転させる請求項７に記載の給湯装置。
【請求項９】
前記制御部は、前記除菌装置温度検出部で検出された温度が前記第４の設定温度を下回らないまま、前記気泡発生装置の停止から第２の設定時間を経過した場合、前記除菌装置を停止させ、前記ふろ循環ポンプの運転を継続させる請求項８に記載の給湯装置。
【請求項１０】
前記制御部は、前記除菌装置を停止させた後、前記除菌装置温度検出部で検出された温度が前記第３の設定温度より低い第５の設定温度を下回った場合、前記気泡発生装置および前記除菌装置を運転させる請求項９に記載の給湯装置。
【請求項１１】
前記制御部は、前記除菌装置温度検出部で検出された温度が前記第５の設定温度を下回らないまま、前記気泡発生装置の停止から第３の設定時間を経過した場合、前記除菌装置に異常があると判断し、前記第２の除菌運転を終了させる請求項１０に記載の給湯装置。
【請求項１２】
前記除菌装置の運転状態を表示する表示部を備え、
前記制御部は、前記除菌装置に異常があると判断し、前記第２の除菌運転を終了させた場合、前記表示部に、前記除菌装置が異常により停止した旨の表示をさせる請求項１１に記載の給湯装置。
【請求項１３】
前記制御部は、前記除菌装置に異常があると判断し、前記第２の除菌運転を終了させた場合、前記ふろ循環回路内に、前記ふろ循環回路内の浴水よりも低い温度の水を、前記ふろ循環回路外から流入させる請求項１１又は１２に記載の給湯装置。
【請求項１４】
貯湯タンク内の貯湯水と前記浴水とを熱交換する熱交換器を備え、
前記制御部は、前記除菌装置に異常があると判断し、前記第２の除菌運転を終了させた場合、前記浴水と、前記浴水よりも低い温度の前記貯湯水とを前記熱交換器で熱交換させる請求項１１〜１３のいずれか一項に記載の給湯装置。
【請求項１５】
前記除菌装置温度検出部は、前記ふろ循環回路内の浴水の温度を検出する温度センサを兼用し、
前記制御部は、前記除菌装置温度検出部で前記ふろ循環回路内の浴水の温度を検出する際は、前記除菌装置の運転を停止させる請求項１〜１４のいずれか一項に記載の給湯装置。
【発明の詳細な説明】
【技術分野】
【０００１】
本発明は、浴槽内の浴水を除菌する機能を備えた給湯装置に関する。
【背景技術】
【０００２】
従来の温水装置として、浴槽内の浴水を除菌する除菌装置を備えたものがある（例えば、特許文献１参照）。
【０００３】
特許文献１の温水装置は、浴槽内の浴水が循環する循環回路と、浴水を循環させる循環ポンプと、循環回路上に設けられ浴水を加熱する熱交換器と、浴水を除菌する除菌装置と、を備える。そして、除菌装置を、循環回路において熱交換器よりも浴水が循環する方向における上流側に配置することにより、浴水の熱による除菌装置の損傷を生じ難くし、除菌装置の寿命低下を抑制することができる。
【先行技術文献】
【特許文献】
【０００４】
【特許文献１】特開２０１８−０５４１４４号公報
【発明の概要】
【発明が解決しようとする課題】
【０００５】
しかしながら、上記の温水装置においては、浴水の熱による除菌装置の損傷については考慮されているが、除菌装置自体の発する熱による除菌装置の損傷については考慮されていないという問題があった。
【０００６】
本発明は、上記した問題点を解決するためになされたものであり、除菌装置の発する熱による除菌装置の寿命低下を抑制することのできる給湯装置を提供することを目的とするものである。
【課題を解決するための手段】
【０００７】
本発明に係る給湯装置は、浴槽内の浴水をふろ循環回路に循環させるふろ循環ポンプと、ふろ循環回路に設けられ、浴水の除菌を行う除菌装置と、除菌装置の温度を検出する除菌装置温度検出部と、ふろ循環ポンプと除菌装置とを運転させる第１の除菌運転中に、除菌装置温度検出部で検出された温度が第１の設定温度を超えた場合、除菌装置を停止させ、ふろ循環ポンプの運転を継続させる制御部と、を備えたものである。
【０００８】
また、本発明に係る給湯装置は、浴槽内の浴水をふろ循環回路に循環させるふろ循環ポンプと、ふろ循環回路に設けられ、浴水の除菌を行う除菌装置と、除菌装置の温度を検出する除菌装置温度検出部と、ふろ循環回路内の浴水中に気泡を発生させる気泡発生装置と、ふろ循環ポンプと除菌装置と気泡発生装置とを運転させる第２の除菌運転中に、除菌装置温度検出部で検出された温度が第３の設定温度を超えた場合、気泡発生装置を停止させ、ふろ循環ポンプおよび除菌装置の運転を継続させる制御部と、を備えたものである。
【発明の効果】
【０００９】
本発明の給湯装置によれば、除菌装置の発する熱による除菌装置の寿命低下を抑制することができる。
【図面の簡単な説明】
【００１０】
【図１】本発明の実施の形態１に係る給湯装置の構成図である。
【図２】本発明の実施の形態１に係る給湯装置の紫外線ＬＥＤによる浴水除菌率を示す図である。
【図３】本発明の実施の形態１に係る制御部の機能を示すブロック図である。
【図４】本発明の実施の形態１に係る給湯装置の追いだき運転時の回路構成図である。
【図５】本発明の実施の形態１に係る給湯装置のふろ熱回収運転時の回路構成図である。
【図６】本発明の実施の形態１に係る給湯装置の第１の除菌運転時の制御を示すフローチャートである。
【図７】本発明の実施の形態２に係る給湯装置の除菌運転を単独で実施した時の回路構成図である。
【図８】本発明の実施の形態２に係る給湯装置の第１の除菌運転時の制御を示すフローチャートである。
【図９】本発明の実施の形態３に係る給湯装置の気泡発生装置からの吸気量と浴水除菌率の結果を示す図である
【図１０】本発明の実施の形態３に係る給湯装置の第２の除菌運転時の制御を示すフローチャートである。
【図１１】本発明の実施の形態４に係る給湯装置の第２の除菌運転時の制御を示すフローチャートである。
【発明を実施するための形態】
【００１１】
以下、図面を参照して本発明の実施の形態について説明する。なお、各図において共通する要素には、同一の符号を付して、重複する説明を省略する。
【００１２】
実施の形態１．
図１は、本発明の実施の形態１に係る給湯装置の構成図である。本実施の形態の給湯装置は、貯湯式給湯機１を備える。なお、本実施の形態の給湯装置は、貯湯式給湯機１の代わりに、例えば、即湯式の給湯機を備えていてもよい。以下、本実施の形態では、一例として、貯湯式給湯機１を備える給湯装置について説明する。
【００１３】
図１に示すように、貯湯式給湯機１は、ヒートポンプユニット２、タンクユニット１０およびリモコン装置７０を備える。ヒートポンプユニット２とタンクユニット１０とは、配管および図示しない電気配線によって接続されている。リモコン装置７０は、タンクユニット１０に内蔵された制御部６０と、有線または無線によって電気的に接続されている。
【００１４】
ヒートポンプユニット２は、水を加熱するための加熱手段である。ヒートポンプユニット２は、圧縮機３、水冷媒熱交換器４、膨張弁５および空気熱交換器６を備える。圧縮機３、水冷媒熱交換器４、膨張弁５、および空気熱交換器６は、冷媒配管７によって環状に接続され、ヒートポンプサイクルを構成する。
【００１５】
水冷媒熱交換器４は、一次側を流れる冷媒と二次側を流れる水との間で熱交換を行う。水冷媒熱交換器４の一次側には、圧縮機３によって圧縮された高温の冷媒が冷媒配管７を介して導かれる。水冷媒熱交換器４の二次側には、貯湯タンク１１からの低温水が導かれる。水冷媒熱交換器４の二次側に導かれた低温水は、一次側を流れる高温の冷媒によって加熱される。ヒートポンプユニット２は、このようにして、タンクユニット１０の貯湯タンク１１から導かれた低温水を加熱する。
【００１６】
タンクユニット１０は、湯水を貯留する貯湯タンク１１を備える。貯湯タンク１１の下部には、第１水導入口１１ａ、水導出口１１ｂ、および第２水導入口１１ｃが設けられる。貯湯タンク１１の上部には、第１温水導入出口１１ｄおよび第２温水導入出口１１ｅが設けられる。貯湯タンク１１の中部には、中温水導入出口１１ｆおよび中温水導入口１１ｇが設けられる。
【００１７】
タンクユニット１０は、減圧弁１２を備える。減圧弁１２は、配管を流れる水の圧力を調整するためのものである。減圧弁１２には、第１給水配管１３ａの一端が接続される。第１給水配管１３ａの他端は、貯湯タンク１１の第１水導入口１１ａに接続される。また、減圧弁１２には、第２給水配管１３ｂの一端が接続される。第２給水配管１３ｂの他端は、貯湯式給湯機１の外部の水源に接続される。水源は、例えば水道等である。
【００１８】
第２給水配管１３ｂには、水源からの低温水が供給される。水源から第２給水配管１３ｂへ供給された低温水は、減圧弁１２によって所定の圧力に調圧される。減圧弁１２によって調圧された低温水は、第１給水配管１３ａを流れ、第１水導入口１１ａから貯湯タンク１１内に流入する。
【００１９】
貯湯タンク１１には、貯湯タンク１１の下部の第１水導入口１１ａから低温水が流入するともに、貯湯タンク１１の上部の第１温水導入出口１１ｄおよび第２温水導入出口１１ｅからヒートポンプユニット２によって加熱された高温水が流入する。このようにして、貯湯タンク１１内には、上部と下部とで温度差が生じるように湯水が貯留される。
【００２０】
貯湯タンク１１の表面には、複数の貯湯温度センサ１４，１５，１６が、それぞれ異なる高さに取り付けられる。第１貯湯温度センサ１４は、貯湯タンク１１の表面の上部に取り付けられる。第２貯湯温度センサ１５は、貯湯タンク１１の表面の下部に取り付けられる。第３貯湯温度センサ１６は、貯湯タンク１１の表面の中央部に取り付けられる。貯湯温度センサ１４，１５，１６により、貯湯タンク１１に貯留された水の量および温度分布等を把握することができる。
【００２１】
また、タンクユニット１０は、ふろ用熱交換器１７およびふろ循環ポンプ１８を備える。ふろ用熱交換器１７の一次側には、貯湯タンク１１から湯水が供給され、ふろ用熱交換器１７の二次側には、貯湯式給湯機１の外部の浴槽８０内の浴水が供給される。ふろ用熱交換器１７は、貯湯タンク１１から供給される湯水と、浴槽８０から供給される浴水との間で熱交換を行う。
【００２２】
ふろ用熱交換器１７の二次側の流入口には、ふろ戻り配管１９の一端が接続される。ふろ戻り配管１９の他端は、浴槽アダプタ８１を介して、浴槽８０に接続される。浴槽アダプタ８１は、浴槽８０の壁面に取り付けられる。また、ふろ用熱交換器１７の二次側の流出口には、ふろ往き配管２０の一端が接続される。ふろ往き配管２０の他端は、浴槽アダプタ８１を介して、浴槽８０に接続される。このように、ふろ戻り配管１９とふろ往き配管２０とで、浴槽８０内の浴水が循環するふろ循環回路２８が形成される。
【００２３】
ふろ循環ポンプ１８は、浴槽８０内の浴水を、ふろ戻り配管１９、ふろ用熱交換器１７の二次側およびふろ往き配管２０に循環させるためのポンプである。ふろ循環ポンプ１８は、ふろ戻り配管１９に設けられる。なお、ふろ循環ポンプ１８は、ふろ往き配管２０に設けてもよい。
【００２４】
ふろ戻り配管１９には、ふろ戻り温度センサ２１、水位センサ２３、フロースイッチ２４、気泡発生装置２５、および除菌装置２６が設置される。ふろ戻り温度センサ２１は、浴槽８０からふろ用熱交換器１７に向かう浴水の温度を検出する。水位センサ２３は、浴槽８０内の浴水の水量を検出する。フロースイッチ２４は、ふろ戻り配管１９における浴水の循環を検知する。気泡発生装置２５は、例えばエジェクタ構造のものであり、空気を取り込むことにより、ふろ循環回路２８内の浴水中に洗浄効果のある微細気泡を発生させる。
【００２５】
除菌装置２６は、例えば、紫外線照射装置、オゾン発生装置、重金属イオン発生装置、超音波発生装置である。図２は、紫外線ＬＥＤによる浴水除菌率を示す図である。図２に示すように、紫外線ＬＥＤを浴水に照射することにより、浴水の除菌が可能であることが分かる。また、除菌装置２６の表面には、除菌装置２６の表面の温度を検出する除菌装置温度検出部２７が取り付けられている。
【００２６】
ふろ往き配管２０には、ふろ往き温度センサ２２が設置される。ふろ往き温度センサ２２は、ふろ用熱交換器１７で熱交換された後の浴水の温度を検出する。
【００２７】
タンクユニット１０は、流路切替手段として、第１三方弁３１、第１四方弁３２、第２四方弁３３および第２三方弁３４を備える。また、タンクユニット１０は、熱源ポンプ３５、給湯用混合弁３６、ふろ用混合弁３７および電磁弁３９を備える。
【００２８】
第１三方弁３１は、流入口であるａポートおよびｂポートと、流出口であるｃポートとを有する。第１三方弁３１は、ａ−ｃおよびｂ−ｃの２つの経路の間で流路を切替可能である。
【００２９】
第１四方弁３２は、流入口であるａポートおよびｂポートと、流出口であるｃポートおよびｄポートとを有する。第１四方弁３２は、ａ−ｃ、ａ−ｄ、ｂ−ｃ、およびｂ−ｄの４つの経路の間で流路を切替可能である。
【００３０】
第２四方弁３３は、流入口であるａポートと、流出口であるｂポート、ｃポート、およびｄポートとを有する。第２四方弁３３は、ａ−ｂ、ａ−ｃ、およびａ−ｄの３つの経路の間で流路を切替可能である。
【００３１】
第２三方弁３４は、流入口であるａポートおよびｂポートと、流出口であるｃポートとを有する。第２三方弁３４は、ａ−ｃおよびｂ−ｃの２つの経路の間で流路を切替可能である。
【００３２】
熱源ポンプ３５は、貯湯式給湯機１が備える各種配管に水を循環させるための装置である。給湯用混合弁３６は、第１流入口、第２流入口および流出口を有する混合手段である。ふろ用混合弁３７は、第１流入口、第２流入口および流出口を有する混合手段である。電磁弁３９は、配管内の流路を開放または閉塞する装置であり、本実施の形態においては、タンクユニット１０から浴槽８０への湯水の供給を制御するために設けられる。
【００３３】
第１三方弁３１のａポートには、水導出口配管４１の一端が接続される。水導出口配管４１の他端は、水導出口１１ｂに接続される。第１三方弁３１のｂポートには、第１熱交換器戻り配管４２の一端が接続される。第１熱交換器戻り配管４２の他端は、ふろ用熱交換器１７の一次側の流出口に接続される。第１三方弁３１のｃポートには、ヒートポンプ往き配管４３の一端が接続される。ヒートポンプ往き配管４３の他端は、ヒートポンプユニット２の水冷媒熱交換器４の二次側の流入口に接続される。熱源ポンプ３５は、ヒートポンプ往き配管４３に設けられる。
【００３４】
水冷媒熱交換器４の二次側の流出口には、ヒートポンプ戻り配管４４の一端が接続される。ヒートポンプ戻り配管４４の他端は、第１四方弁３２のｂポートに接続される。ヒートポンプユニット２とタンクユニット１０とは、ヒートポンプ往き配管４３およびヒートポンプ戻り配管４４によって接続される。
【００３５】
第１四方弁３２のａポートには、送水配管４５の一端が接続される。送水配管４５の他端は、水冷媒熱交換器４と熱源ポンプ３５との間で、ヒートポンプ往き配管４３に接続される。第１四方弁３２のｃポートには、第１温水配管４６の一端が接続される。第１温水配管４６の他端は、貯湯タンク１１に設けられた第２水導入口１１ｃに接続される。第１四方弁３２のｄポートには、第２温水配管４７の一端が接続される。第２温水配管４７の他端は、第２四方弁３３のａポートに接続される。
【００３６】
第２四方弁３３のｂポートには、第３温水配管４８の一端が接続される。第３温水配管４８の他端は、貯湯タンク１１に設けられた第２温水導入出口１１ｅに接続される。第２四方弁３３のｃポートには、第４温水配管４９の一端が接続される。第４温水配管４９の他端は、貯湯タンク１１に設けられた中温水導入口１１ｇに接続される。第２四方弁３３のｄポートには、第５温水配管５０の一端が接続される。第５温水配管５０の他端は、貯湯タンク１１に設けられた第１温水導入出口１１ｄに接続される。
【００３７】
第３温水配管４８の途中には、熱交換器往き配管５１の一端が接続される。熱交換器往き配管５１の他端は、ふろ用熱交換器１７の一次側の流入口に接続される。第５温水配管５０の途中には、第１給湯配管５２の一端が接続される。第１給湯配管５２の他端は、途中で２つに分岐する。２つに分岐した第１給湯配管５２の他端の一方は給湯用混合弁３６の第１流入口に接続され、他方はふろ用混合弁３７の第１流入口に接続される。
【００３８】
第２三方弁３４のａポートには、第３給水配管１３ｃの一端が接続される。第３給水配管１３ｃの他端は、第１給水配管１３ａの途中に接続される。第２三方弁３４のｂポートには、第６温水配管５３の一端が接続される。第６温水配管５３の他端は、貯湯タンク１１に設けられた中温水導入出口１１ｆに接続される。第２三方弁３４のｃポートには、第４給水配管１３ｄの一端が接続される。第４給水配管１３ｄの他端は、途中で２つに分岐する。２つに分岐した第４給水配管１３ｄの他端の一方は給湯用混合弁３６の第２流入口に接続され、他方はふろ用混合弁３７の第２流入口に接続される。
【００３９】
第６温水配管５３の途中には、第２熱交換器戻り配管５４の一端が接続される。第２熱交換器戻り配管５４の他端は、第１熱交換器戻り配管４２の途中に接続される。第２熱交換器戻り配管５４には、逆止弁３８が設置されている。逆止弁３８は、貯湯タンク１１の中間部から貯湯タンク１１の下部へ向かう湯水の流れを阻害するためのものである。
【００４０】
給湯用混合弁３６の流出口には、第２給湯配管５５の一端が接続される。第２給湯配管５５の他端は、給湯栓４０を介して、貯湯式給湯機１の外部の、図示しない蛇口に接続される。蛇口は、例えば、シャワー又はカランに設けられる。
【００４１】
また、ふろ用混合弁３７の流出口には、第３給湯配管５６の一端が接続される。第３給湯配管５６の他端は、ふろ往き配管２０の途中に接続される。第３給湯配管５６には、電磁弁３９および流量センサ５７が設けられる。電磁弁３９は、第３給湯配管５６内の流路を開放または閉塞する。流量センサ５７は、第３給湯配管５６内の湯水の流量を検出する。
【００４２】
また、タンクユニット１０には、制御部６０が内蔵される。なお、制御部６０は、タンクユニット１０の外部に設けられていてもよい。
【００４３】
制御部６０は、貯湯式給湯機１を構成する各部品に電気的に接続される。制御部６０には、リモコン装置７０が、有線または無線によって電気的に接続される。制御部６０とリモコン装置７０とは、相互に通信することが可能である。
【００４４】
リモコン装置７０は、表示部７０ａおよび操作部７０ｂを有する。表示部７０ａは、例えば、貯湯式給湯機１の運転状態および設定内容に関する情報を表示することができる。また、表示部７０ａは、除菌装置２６の運転状態、すなわち、除菌装置２６が運転しているか停止しているかを表示できるようにしてもよい。表示部７０ａは、例えば、液晶によって形成される。操作部７０ｂは、例えば、使用者が貯湯式給湯機１を操作するためのスイッチである。また、リモコン装置７０に、例えばスピーカまたはマイクを設け、使用者に情報を音声または音で報知できるようにしてもよい。
【００４５】
リモコン装置７０は、使用者による操作部７０ｂの操作に応じた運転指示を、制御部６０へ送信する。制御部６０は、リモコン装置７０から受信した運転指示に基づいて、貯湯式給湯機１を構成する各部品を制御する。
【００４６】
次に、図３を用いて、貯湯式給湯機１を制御する制御部６０の構成について説明する。図３は、実施の形態１に係る制御部６０の機能を示すブロック図である。
【００４７】
図３に示すように、制御部６０には、リモコン装置７０、貯湯温度センサ１４〜１６、ふろ戻り温度センサ２１、ふろ往き温度センサ２２、水位センサ２３、フロースイッチ２４、除菌装置温度検出部２７および流量センサ５７からの情報が入力される。制御部６０は入力されたこれらの情報に基づいて、ヒートポンプユニット２、熱源ポンプ３５、ふろ循環ポンプ１８、第１三方弁３１、第２三方弁３４、第１四方弁３２、第２四方弁３３、給湯用混合弁３６、ふろ用混合弁３７、電磁弁３９、気泡発生装置２５および除菌装置２６の動作を制御する。なお、制御部６０の各機能は、ＣＰＵ等のプロセッサによって実現される。プロセッサがプログラムに従って演算処理を実行することにより、制御部６０の各機能が実現される。
【００４８】
次に、本実施の形態の貯湯式給湯機１の動作について説明する。
【００４９】
まず、貯湯式給湯機１の追いだき運転について、図４を用いて説明する。図４は、実施の形態１に係る給湯装置の追いだき運転時の回路構成図である。追いだき運転は、貯湯タンク１１内の温水を利用して、浴槽８０内の浴水を加温または保温するための運転である。追いだき運転は、例えば、リモコン装置７０の操作部７０ｂにより追いだき運転の指示が行われることによって制御部６０が開始させる。なお、追いだき運転の開始は手動によるものには限られず、例えば、制御部６０が、ふろ戻り温度センサ２１で検出された浴水の温度がリモコン装置７０で設定されている設定温度を下回ったと判断したときに、自動で開始させるようにしてもよい。
【００５０】
追いだき運転において、制御部６０は、熱源ポンプ３５およびふろ循環ポンプ１８を運転させる。また、制御部６０は、第１三方弁３１をｂポートとｃポートとが連通しａポートが閉状態となる形態、第１四方弁３２をａポートとｄポートとが連通しｂポートとｃポートとが閉状態となる形態、第２四方弁３３をａポートとｃポートとが連通しｂポートとｄポートとが閉状態となる形態にさせる。これにより、図４に示すように、貯湯タンク１１の上部の第２温水導入出口１１ｅから導出された高温水は、第３温水配管４８および熱交換器往き配管５１を通って、ふろ用熱交換器１７にて浴水との熱交換が行われる。そして、熱交換が行われて浴水と近い温度となった中温水は、第１熱交換器戻り配管４２、第１三方弁３１、ヒートポンプ往き配管４３、送水配管４５、第１四方弁３２、第２温水配管４７、第２四方弁３３および第４温水配管４９を通って、中温水導入口１１ｇから貯湯タンク１１内に流入する。
【００５１】
浴槽８０内の浴水は、ふろ戻り配管１９を通ってふろ用熱交換器１７にて貯湯タンク１１内の高温水との熱交換が行われる。熱交換が行われて温度上昇した浴水は、ふろ往き配管２０を通って、浴槽８０内に流入する。制御部６０は、例えば、ふろ戻り温度センサ２１で検出される浴水の温度が、リモコン装置７０で設定されている追いだき運転の設定温度に達したとき、追いだき運転を終了させる。
【００５２】
次に、貯湯式給湯機１のふろ熱回収運転について、図５を用いて説明する。図５は、実施の形態１に係る給湯装置のふろ熱回収運転時の回路構成図である。ふろ熱回収運転は、貯湯タンク１１内の低温水と浴槽８０内の浴水とを熱交換して、浴水の有する熱を貯湯タンク１１内の湯水に回収する運転である。ふろ熱回収運転は、例えば、リモコン装置７０の操作部７０ｂによりふろ熱回収運転の指示が行われることによって制御部６０が開始させる。なお、ふろ熱回収運転の開始は手動によるものには限られず、例えば、制御部６０が、第２貯湯温度センサ１５で検出された貯湯タンク１１下部の湯水の温度がふろ戻り温度センサ２１で検出された浴槽８０内の浴水の温度より低いと判断したとき、使用者の入浴が完了したことを判断したとき、または、リモコン装置７０において予め予約設定されている時間となったと判断したときなどに、制御部６０が自動で開始させるようにしてもよい。
【００５３】
ふろ熱回収運転において、制御部６０は、熱源ポンプ３５およびふろ循環ポンプ１８を運転させる。また、制御部６０は、第１三方弁３１をａポートとｃポートとが連通しｂポートが閉状態となる形態、第１四方弁３２をａポートとｄポートとが連通しｂポートとｃポートとが閉状態となる形態、第２四方弁３３をａポートとｂポートとが連通しｃポートとｄポートとが閉状態となる形態にさせる。これにより、図５に示すように、貯湯タンク１１の下部の水導出口１１ｂから導出された低温水は、水導出口配管４１、第１三方弁３１、ヒートポンプ往き配管４３、送水配管４５、第１四方弁３２、第２温水配管４７、第２四方弁３３、第３温水配管４８および熱交換器往き配管５１を通って、ふろ用熱交換器１７にて浴水との熱交換が行われる。そして、熱交換が行われて浴水と近い温度となった中温水は、第１熱交換器戻り配管４２、第２熱交換器戻り配管５４および第６温水配管５３を通って、中温水導入出口１１ｆから貯湯タンク１１内に流入する。
【００５４】
浴槽８０内の浴水は、ふろ戻り配管１９を通ってふろ用熱交換器１７にて貯湯タンク１１内の低温水との熱交換が行われる。熱交換が行われて温度低下した浴水は、ふろ往き配管２０を通って、浴槽８０内に流入する。
【００５５】
ふろ熱回収運転においては、浴槽８０内にはふろ用熱交換器１７にて熱交換された低温の湯水が流入するため、湯水の温度差による比重により、浴槽８０内の下部には低温の湯水がたまり、上部には高温の湯水がたまる温度境界層が生成される。温度境界層が生成された状況下では、浴槽８０内の上部にある高温の湯水をふろ用熱交換器１７に送ることができず、熱回収効率が悪化する。
【００５６】
そこで、制御部６０は、ふろ熱回収運転において、浴槽８０内の温度境界層を壊すために浴水の撹拌動作を行う。ここでは、ふろ熱回収運転開始時の運転を第１のふろ熱回収運転と呼び、浴水の撹拌動作を行う運転を第２のふろ熱回収運転と呼ぶ。第２のふろ熱回収運転において、制御部６０は、ふろ循環ポンプ１８を第１のふろ熱回収運転よりも高流量で運転させる。第２のふろ熱回収運転におけるふろ循環ポンプ１８の流量は、例えば、８Ｌ／ｍｉｎである。なお、第２のふろ熱回収運転時は、ふろ循環ポンプ１８を高流量で運転しており、ふろ用熱交換器１７における熱交換効率は低いため、熱源ポンプ３５は停止させてもよいし、流量を下げてもよい。
【００５７】
制御部６０は、第２のふろ熱回収運転を予め設定されている時間実施すると、ふろ循環ポンプ１８の流量を下げ、再度第１ふろ熱回収運転を開始させる。第２のふろ熱回収運転を運転させる設定時間は、例えば、８Ｌ／ｍｉｎで運転させた場合は５分である。
【００５８】
そして、第１のふろ熱回収運転を開始させると、再度浴槽８０内に温度境界層が生成されるため、第２のふろ熱回収運転を実施する。このように、第１のふろ熱回収運転および第２のふろ熱回収運転を繰り返し行うことで、浴槽３０内の湯水から効率良く熱を貯湯タンク１１内の湯水に回収することができる。
【００５９】
制御部６０は、例えば、ふろ戻り温度センサ２１で検出される浴水の温度が予め設定されている値より下がったときに、浴水に回収可能な熱が残っていないと判断し、ふろ熱回収運転を終了させる。なお、制御部６０は、ふろ熱回収運転を開始させてから予め設定されている時間を経過したときに、ふろ熱回収運転を終了させるようにしてもよい。ふろ熱回収運転を終了させる時間は、例えば、１〜１．５時間である。
【００６０】
なお、ふろ熱回収運転を、第１のふろ熱回収運転および第２のふろ熱回収運転を繰り返し行う運転として説明したが、第１のふろ熱回収運転のみを行い、常に同じ流量でふろ循環ポンプ１８を運転させる運転であってもよい。
【００６１】
次に、貯湯式給湯機１の第１の除菌運転について説明する。第１の除菌運転は、ふろ循環ポンプ１８を動作させてふろ循環回路２８内に浴水を循環させる運転を行っている間に、除菌装置２６を動作させて浴水の除菌を行う運転である。第１の除菌運転は、例えば、追いだき運転中またはふろ熱回収運転中に実施する。
【００６２】
追いだき運転中に第１の除菌運転を実施することで、入浴中における浴水中の菌の増加を抑制することができる。また、ふろ熱回収運転中に第１の除菌運転を実施することで、ふろ熱回収運転を行った後に、浴水を洗濯水として再利用した場合でも、浴水中の菌による臭いの発生を抑制することができる。また、ふろ熱回収運転は約１〜１．５時間必要となるため、浴水の排水が翌日になることがあり、菌の増殖による汚れが増加する。そこで、ふろ熱回収運転中に第１の除菌運転を行うことで、菌の増殖による汚れが浴槽８０に付着することを抑制することができる。
【００６３】
第１の除菌運転について、図６のフローチャートを用いて説明する。図６は、実施の形態１に係る給湯装置の第１の除菌運転時の制御を示すフローチャートである。第１の除菌運転の制御は、制御部６０によって実行される。
【００６４】
第１の除菌運転は、例えば、追いだき運転またはふろ熱回収運転が開始したときに、制御部６０が開始させる。なお、制御部６０は、追いだき運転またはふろ熱回収運転が開始してから一定時間経過した後に第１の除菌運転を開始させるようにしてもよいし、追いだき運転中またはふろ熱回収運転中にリモコン装置７０からの除菌運転の指示があったときに開始させるようにしてもよい。
【００６５】
まず、制御部６０は、ステップＳ１において、除菌装置２６を運転させる。これにより、ふろ循環ポンプ１８および除菌装置２６が運転した状態になるため、浴水の除菌が行われる。
【００６６】
次に、制御部６０は、ステップＳ２において、除菌装置温度検出部２７で検出された除菌装置２６の温度が第１の設定温度を超えているか判定する。第１の設定温度は、制御部６０に予め設定されている温度であり、例えば６０℃である。
【００６７】
制御部６０は、ステップＳ２において、除菌装置２６の温度が第１の設定温度を超えていないと判定した場合は、再度ステップＳ２に戻り、除菌装置２６の温度が第１の設定温度を超えていると判定するまでステップＳ２を繰り返す。制御部６０は、ステップＳ２において、除菌装置２６の温度が第１の設定温度を超えたと判定すると、ステップＳ３に進み、除菌装置２６を停止させる。このとき、除菌装置２６が停止し、ふろ循環ポンプ１８は運転を継続した状態であるため、浴水により除菌装置２６の冷却を行うことができる。なお、除菌装置２６の冷却中には、除菌装置２６の冷却効率を上げるために、ふろ循環ポンプ１８の流量を例えば５Ｌ／ｍｉｎから８Ｌ／ｍｉｎのように上げてもよい。
【００６８】
制御部６０は、ステップＳ３において、除菌装置２６を停止させると、次にステップＳ４において、除菌装置２６を停止させてから第１の設定時間が経過したか判定する。第１の設定時間は、制御部６０に予め設定されている時間であり、例えば６０秒である。
【００６９】
制御部６０は、ステップＳ４において、除菌装置２６を停止させてから第１の設定時間が経過していないと判定すると、ステップＳ５に進み、除菌装置２６の温度が第２の設定温度を下回ったか判定する。第２の設定温度は、制御部６０に予め設定されている温度であり、第１の設定温度よりも低い温度である。第２の設定温度は、例えば５０℃である。
【００７０】
制御部６０は、ステップＳ５において、除菌装置２６の温度が第２の設定温度を下回ったと判定した場合は、除菌装置２６に異常はなく、除菌装置２６の冷却も問題ないと判断し、ステップＳ１に戻り、除菌装置２６を再度運転させる。除菌装置２６に異常がない場合は除菌装置２６を再度運転させることにより、除菌装置２６の冷却を行いつつ、除菌装置２６を運転させることができる。
【００７１】
制御部６０は、ステップＳ５において、除菌装置２６の温度が第２の設定温度を下回っていないと判定した場合には、ステップＳ４に戻り、除菌装置２６を停止させてから第１の設定時間が経過したかを再度判定する。制御部６０は、除菌装置２６を停止させてから第１の設定時間が経過したと判定するか、または、除菌装置２６の温度が第２の設定温度を下回ったと判定するまで、ステップＳ４およびステップＳ５を繰り返す。
【００７２】
そして、制御部６０は、除菌装置２６の温度が第２の設定温度を下回らないまま、ステップＳ４において、除菌装置２６を停止させてから第１の設定時間が経過したと判定した場合、除菌装置２６に異常があると判断し、第１の除菌運転を終了させる。これにより、除菌装置２６の異常を判定することができ、安全に第１の除菌運転を終了させることができる。
【００７３】
なお、制御部６０は、追いだき運転またはふろ熱回収運転が終了した場合にも第１の除菌運転を終了させる。例えば、ステップＳ２において、除菌装置２６の温度が第１の設定温度を上回ることのないまま、追いだき運転またはふろ熱回収運転が終了した場合には、制御部６０は、追いだき運転またはふろ熱回収運転が終了したときに除菌装置２６を停止させ第１の除菌運転を終了させる。
【００７４】
除菌装置２６として、例えば、紫外線ＬＥＤを使用する場合、ＬＥＤと基板との接点部の温度は１００℃を超える場合がある。ＬＥＤで発生する熱は浴水に放熱されているが、ＬＥＤを収容する筐体内部の温度が、例えば６０℃を超えると、浴水は３８〜４２℃であることが多いため、ＬＥＤを十分に冷却できない可能性がある。ＬＥＤの冷却が不十分の場合、ＬＥＤが熱により損傷し、ＬＥＤの寿命低下につながる。
【００７５】
また、除菌装置２６に紫外線ＬＥＤを使用する場合、ＬＥＤが発する熱によってＬＥＤの輝度低下が起こる。ＬＥＤの輝度低下が起こると、除菌性能の低下が起こる可能性がある。また、除菌装置２６として、例えば、オゾン発生装置または超音波発生装置などの他の装置を用いた場合でも、熱による寿命低下および除菌性能の低下が起こる可能性がある。
【００７６】
実施の形態１の給湯装置によれば、制御部６０は、ふろ循環ポンプ１８および除菌装置２６を運転させる第１の除菌運転において、除菌装置２６の温度が第１の設定温度を上回ったと判定した場合、除菌装置２６を停止させ、循環する浴水による除菌装置２６の冷却は継続させるようにしたため、除菌装置２６の熱による寿命低下および除菌性能の低下を抑制することができる。
【００７７】
また、除菌装置２６の温度が第２の設定温度を下回らないまま、制御部６０が、除菌装置２６を停止させてから第１の設定時間が経過したと判定した場合、第１の除菌運転を終了させるため、除菌装置２６の異常を判断することができる。
【００７８】
なお、本実施の形態においては、除菌装置温度検出部２７を除菌装置２６の表面に取り付け、除菌装置２６の表面の温度を測定するとしたが、例えば、除菌装置温度検出部２７を除菌装置２６内部に取り付け、除菌装置２６内部の温度を測定するようにしてもよい。
【００７９】
また、除菌装置温度検出部２７は、ふろ循環回路２８内の浴水の温度を測定する温度センサ、すなわち、ふろ戻り温度センサ２１またはふろ往き温度センサ２２を兼用するようにしてもよい。例えば、除菌装置２６をふろ戻り配管１９に設置し、除菌装置温度検出部２７を除菌装置２６の表面で、かつ、浴水が通過する位置に設置した場合、除菌装置温度検出部２７により、除菌装置２６の温度およびふろ戻り配管１９内の浴水の温度の両方を検出することができる。また、除菌装置２６をふろ往き配管２０に設置し、除菌装置温度検出部２７を除菌装置２６の表面で、かつ、浴水が通過する位置に設置した場合、除菌装置温度検出部２７により、除菌装置２６の温度およびふろ往き配管２０内の浴水の温度の両方を検出することができる。除菌装置温度検出部２７が、ふろ循環回路２８内の浴水の温度を測定する温度センサを兼用することにより、除菌装置２６の温度およびふろ循環回路２８内の浴水の温度を検出する温度センサをそれぞれ設ける必要がなく、コストを削減することができる。
【００８０】
なお、除菌装置温度検出部２７がふろ循環回路２８内の浴水の温度を測定する温度センサを兼用する場合、制御部６０は、ふろ循環回路２８内の浴水の温度を検出する際、除菌装置２６を停止させるようにしてもよい。除菌装置２６を停止させることにより、除菌装置２６の発熱の影響を受けずにふろ循環回路２８内の浴水の温度を測定することができ、除菌装置温度検出部２７を用いてふろ循環回路２８内の浴水の温度を正確に測定することができる。
【００８１】
また、第１の除菌運転は、追いだき運転中またはふろ熱回収運転中に実施するとしたが、追いだき運転中またはふろ熱回収運転中に限られず、ふろ循環ポンプ１８を動作させる運転であれば、他の運転中に実施してもよい。
【００８２】
実施の形態２．
実施の形態１の給湯装置では、ふろ循環ポンプ１８および除菌装置２６を運転させる第１の除菌運転を、追いだき運転またはふろ熱回収運転などのふろ循環ポンプ１８を動作させる運転中に実施するとした。一方、実施の形態２の給湯装置では、第１の除菌運転を単独で実施できるようにしている。図７は、実施の形態２に係る給湯装置の除菌運転を単独で実施した時の回路構成図である。
【００８３】
実施の形態２の貯湯式給湯機１の制御部６０以外の構成は、実施の形態１と同様であるため、説明を省略する。
【００８４】
実施の形態２の給湯装置における第１の除菌運転について、図８のフローチャートを用いて説明する。図８は、実施の形態２に係る給湯装置の第１の除菌運転時の制御を示すフローチャートである。
【００８５】
実施の形態２において、制御部６０は、リモコン装置７０から第１の除菌運転の開始の指示があったときに、第１の除菌運転を開始させる。
【００８６】
まず、制御部６０は、ステップＳ６において、ふろ循環ポンプ１８および除菌装置２６を運転させる。これにより、ふろ循環ポンプ１８および除菌装置２６が運転した状態になるため、浴水の除菌が行われる。なお、ふろ循環ポンプ１８を運転させ、フロースイッチ２４で浴水の循環を確認した後に、除菌装置２６を運転させるようにしてもよい。浴水の循環を確認した後に除菌装置２６を運転させるようにすることにより、浴水の循環不良によって除菌装置２６の冷却が十分にできなくなることを防止することができる。
【００８７】
ステップＳ２〜Ｓ５の動作は、実施の形態１と同様であるため、説明を省略する。
【００８８】
制御部６０は、ステップＳ５において、除菌装置２６の温度が第２の設定温度を下回ったと判定した場合は、ステップＳ７に進み、除菌装置２６を再度運転させる。ステップＳ７で除菌装置２６を運転させると、ステップＳ２に戻る。
【００８９】
制御部６０は、除菌装置２６の温度が第２の設定温度を下回らないまま、ステップＳ４において、除菌装置２６を停止させてから第１の設定時間が経過したと判定した場合、除菌装置２６に異常があると判断し、ステップＳ８においてふろ循環ポンプ１８を停止させ、第１の除菌運転を終了させる。
【００９０】
なお、実施の形態２において、制御部６０は、例えば、リモコン装置７０から除菌運転終了の指示があったとき、または、第１の除菌運転を開始してからの時間が予め制御部６０に設定されている時間を経過したときに、第１の除菌運転を終了させるようにしてもよい。
【００９１】
実施の形態２の給湯装置によれば、ふろ循環ポンプ１８および除菌装置２６を運転させる第１の除菌運転において、制御部６０が、除菌装置２６の温度が第１の設定温度を上回ったと判定した場合、除菌装置２６を停止させ、循環する浴水による除菌装置２６の冷却は継続させるようにしたため、除菌装置２６の熱による寿命低下および除菌性能の低下を抑制することができる。
【００９２】
実施の形態３．
実施の形態３の給湯装置は、第２の除菌運転を実施可能である。第２の除菌運転は、ふろ循環ポンプ１８、気泡発生装置２５および除菌装置２６を動作させる運転である。第２の除菌運転は、例えば、ふろ熱回収運転中に実施する。ふろ熱回収運転は例えば１〜１．５時間かかるため、ふろ熱回収運転の時間を利用して気泡発生装置２５を駆動させ、ふろ循環回路２８内の洗浄を行うことがある。第２の除菌運転は、このように、ふろ循環ポンプ１８および気泡発生装置２５が動作しているときに除菌装置２６を動作させる運転である。
【００９３】
ここで、除菌装置２６は、図１に示すように、気泡発生装置２５よりも、浴水の循環方向において下流側に設置されている。そのため、除菌装置２６として紫外線ＬＥＤを用いた場合、気泡発生装置２５で発生させた微細気泡が除菌装置２６を通過することで、紫外線の乱反射によって除菌効率が向上する。図９は、気泡発生装置２５からの吸気量と浴水除菌率の結果を示す図である。図９に示すように、微細気泡の発生により紫外線を散乱させることで除菌効率が向上することが分かる。また、微細気泡の洗浄効果により、除菌装置２６の紫外線照射部の汚れを防止できるため、性能の低下を抑制することができる。
【００９４】
実施の形態３の貯湯式給湯機１の制御部６０以外の構成は、実施の形態１と同様であるため、説明を省略する。
【００９５】
第２の除菌運転について、図１０のフローチャートを用いて説明する。図１０は、実施の形態３に係る給湯装置の第２の除菌運転時の制御を示すフローチャートである。第２の除菌運転の制御は、制御部６０によって実行される。制御部６０は、例えば、ふろ熱回収運転においてふろ循環ポンプ１８および気泡発生装置２５の運転を開始させたときに、第２の除菌運転を開始させる。
【００９６】
まず、制御部６０は、ステップＳ１１において、除菌装置２６を運転させる。これにより、ふろ循環ポンプ１８、気泡発生装置２５および除菌装置２６が運転した状態になる。
【００９７】
次に、制御部６０は、ステップＳ１２において、除菌装置２６の温度が第３の設定温度を超えているか判定する。第３の設定温度は、制御部６０に予め設定されている温度であり、例えば６０℃である。
【００９８】
制御部６０は、ステップＳ１２において、除菌装置２６の温度が第３の設定温度を超えていないと判定した場合は、再度ステップＳ１２に戻り、除菌装置２６の温度が第３の設定温度を超えていると判定されるまでステップＳ１２を繰り返す。制御部６０は、ステップＳ１２において、除菌装置２６の温度が第３の設定温度を超えたと判定すると、ステップＳ１３に進み、気泡発生装置２５を停止させる。
【００９９】
気泡発生装置２５を運転させた状態では、除菌装置２６を通過する浴水が気泡を含んだ気液二相流となっているため、空気層が存在するところでは除菌装置２６と浴水との熱交換効率が下がり、除菌装置２６の冷却効率が低下する。そのため、制御部６０は、第２の除菌運転において、除菌装置２６の温度が第３の設定温度を超えた場合には、まず気泡発生装置２５を停止させる。気泡発生装置２５を停止させることにより、気泡を含む浴水よりも冷却効率の高い浴水で除菌装置２６を冷却することができる。
【０１００】
制御部６０は、ステップＳ１３において、気泡発生装置２５を停止させると、次にステップＳ１４において、気泡発生装置２５を停止させてから第２の設定時間が経過したか判定する。第２の設定時間は、制御部６０に予め設定されている温度であり、例えば６０秒である。
【０１０１】
制御部６０は、ステップＳ１４において、除菌装置２６を停止させてから第２の設定時間が経過していないと判定すると、ステップＳ１５に進み、除菌装置２６の温度が第４の設定温度を下回ったか判定する。第４の設定温度は、制御部６０に予め設定されている温度であり、第３の設定温度よりも低い温度である。第４の設定温度は、例えば５０℃である。
【０１０２】
制御部６０は、ステップＳ１５において、除菌装置２６の温度が第４の設定温度を下回ったと判定した場合は、ステップＳ１６に進み、気泡発生装置２５を再度運転させる。ステップＳ１６で気泡発生装置２５を運転させると、ステップＳ１２に戻る。
【０１０３】
制御部６０は、ステップＳ１５において、除菌装置２６の温度が第４の設定温度を下回っていないと判定した場合には、ステップＳ１４に戻り、気泡発生装置２５を停止させてから第２の設定時間が経過したかを再度判定する。
【０１０４】
制御部６０は、除菌装置２６の温度が第４の設定温度を下回らないまま、ステップＳ１４において、気泡発生装置２５を停止させてから第２の設定時間が経過したと判定した場合、ステップＳ１７に進み、除菌装置２６を停止させる。
【０１０５】
制御部６０は、ステップＳ１７において、除菌装置２６を停止させると、次にステップＳ１８において、気泡発生装置２５を停止させてから第３の設定時間が経過したか判定する。第３の設定時間は、制御部６０に予め設定されている温度であり、例えば１２０秒である。
【０１０６】
制御部６０は、ステップＳ１８において、気泡発生装置２５を停止させてから第３の設定時間が経過していないと判定すると、ステップＳ１９に進み、除菌装置２６の温度が第５の設定温度を下回ったか判定する。第５の設定温度は、制御部６０に予め設定されている温度であり、第３の設定温度よりも低い温度である。
【０１０７】
制御部６０は、ステップＳ１９において、除菌装置２６の温度が第５の設定温度を下回ったと判定した場合は、ステップＳ２０に進み、気泡発生装置２５および除菌装置２６を再度運転させる。ステップＳ２０で気泡発生装置２５および除菌装置２６を運転させると、ステップＳ１２に戻る。
【０１０８】
制御部６０は、ステップＳ１９において、除菌装置２６の温度が第５の設定温度を下回っていないと判定した場合には、ステップＳ１８に戻り、気泡発生装置２５を停止させてから第３の設定時間が経過したかを再度判定する。
【０１０９】
制御部６０は、除菌装置２６の温度が第５の設定温度を下回らないまま、ステップＳ１８において、気泡発生装置２５を停止させてから第３の設定時間が経過したと判定した場合、除菌装置２６に異常があると判断し、第２の除菌運転を終了させる。なお、制御部６０は、ふろ熱回収運転が終了した場合にも、除菌装置２６を停止させ、第２の除菌運転を終了させる。
【０１１０】
実施の形態３の給湯装置によれば、ふろ循環ポンプ１８、気泡発生装置２５および除菌装置２６を運転させる第２の除菌運転において、制御部６０が、除菌装置２６の温度が第３の設定温度を上回ったと判定した場合、気泡発生装置２５を停止させ、循環する浴水による除菌装置２６の冷却は継続させるようにしたため、除菌装置２６の熱による寿命低下および除菌性能の低下を抑制することができる。
【０１１１】
なお、第２の除菌運転は、ふろ熱回収運転中に実施するとしたが、ふろ熱回収運転中に限られず、ふろ循環ポンプ１８および気泡発生装置２５を動作させる運転であれば、他の運転中に実施してもよい。
【０１１２】
実施の形態４．
実施の形態３の給湯装置では、ふろ循環ポンプ１８、気泡発生装置２５および除菌装置２６を運転させる第２の除菌運転を、ふろ熱回収運転などのふろ循環ポンプ１８および気泡発生装置２５を動作させる運転中に実施するとした。一方、実施の形態４の給湯装置では、第２の除菌運転を単独で実施できるようにしている。
【０１１３】
実施の形態４の貯湯式給湯機１の制御部６０以外の構成は、実施の形態１と同様であるため、説明を省略する。
【０１１４】
実施の形態４の給湯装置における第２の除菌運転について、図１１のフローチャートを用いて説明する。図１１は、実施の形態４に係る給湯装置の第２の除菌運転時の制御を示すフローチャートである。
【０１１５】
実施の形態４において、制御部６０は、例えば、リモコン装置７０から第２の除菌運転の開始の指示があったときに、第２の除菌運転を開始させる。
【０１１６】
まず、制御部６０は、ステップＳ２１において、ふろ循環ポンプ１８、気泡発生装置２５および除菌装置２６を運転させる。これにより、ふろ循環ポンプ１８、気泡発生装置２５および除菌装置２６が運転した状態になる。
【０１１７】
ステップＳ１２〜Ｓ２０の動作は、実施の形態３と同様であるため、説明を省略する。
【０１１８】
制御部６０は、除菌装置２６の温度が第５の設定温度を下回らないまま、ステップＳ１８において、気泡発生装置２５を停止させてから第３の設定時間が経過したと判定した場合、除菌装置２６に異常があると判断し、ステップＳ２２においてふろ循環ポンプ１８を停止させ、第２の除菌運転を終了させる。
【０１１９】
なお、実施の形態４において、制御部６０は、例えば、リモコン装置７０から第２の除菌運転の終了の指示があったとき、または、第２の除菌運転の運転時間が予め制御部６０に設定されている時間を経過したときに、第２の除菌運転を終了させるようにしてもよい。
【０１２０】
実施の形態４の給湯装置によれば、ふろ循環ポンプ１８、気泡発生装置２５および除菌装置２６を運転させる第２の除菌運転において、制御部６０が、除菌装置２６の温度が第３の設定温度を上回ったと判定した場合、気泡発生装置２５を停止させ、循環する浴水による除菌装置２６の冷却は継続させるようにしたため、除菌装置２６の熱による寿命低下および除菌性能の低下を抑制することができる。
【０１２１】
なお、実施の形態１〜４において、制御部６０は、除菌装置２６に異常があると判断して除菌運転を終了させた場合、リモコン装置７０の表示部７０ａに除菌装置２６が異常により停止した旨のガイダンスを表示させて報知し、除菌装置２６の修理を使用者に案内するようにしてもよい。
【０１２２】
また、制御部６０は、除菌装置２６に異常があると判断して除菌運転を終了させた場合、電磁弁３９を開いて第３給湯配管５６からふろ循環回路２８内に、ふろ循環回路２８内の浴水よりも低い温度の低温水を流入させるようにしてもよい。ふろ循環回路２８内に低温水を流入させ、さらにふろ循環ポンプ１８を運転させるようにすれば、流入させた低温水により除菌装置２６を冷却することができる。
【０１２３】
また、制御部６０は、除菌装置２６に異常があると判断して除菌運転を終了させた場合、除菌装置２６を冷却するために、熱源ポンプ３５およびふろ循環ポンプ１８を運転させ、ふろ用熱交換器１７において、貯湯タンク１１内の低温水とふろ循環回路２８内の浴水とを熱交換し、ふろ循環回路２８内の浴水の温度を下げるようにしてもよい。
【符号の説明】
【０１２４】
１  貯湯式給湯機、２  ヒートポンプユニット、３  圧縮機、４  水冷媒熱交換器、５  膨張弁、６  空気熱交換器、７  冷媒配管、１０  タンクユニット、１１  貯湯タンク、１１ａ  第１水導入口、１１ｂ  水導出口、１１ｃ  第２水導入口、１１ｄ  第１温水導入出口、１１ｅ  第２温水導入出口、１１ｆ  中温水導入出口、１１ｇ  中温水導入口、１２  減圧弁、１３ａ  第１給水配管、１３ｂ  第２給水配管、１３ｃ  第３給水配管、１４  第１貯湯温度センサ、１５  第２貯湯温度センサ、１６  第３貯湯温度センサ、１７  ふろ用熱交換器、１８  ふろ循環ポンプ、１９  ふろ戻り配管、２０  ふろ往き配管、２１  ふろ戻り温度センサ、２２  ふろ往き温度センサ、２３  水位センサ、２４  フロースイッチ、２５  気泡発生装置、２６  除菌装置、２７  除菌装置温度検出部、２８  ふろ循環回路、３１  第１三方弁、３２  第１四方弁、３３  第２四方弁、３４  第２三方弁、３５  熱源ポンプ、３６  給湯用混合弁、３７  ふろ用混合弁、３９  電磁弁、４０  給湯栓、４１  水導出口配管、４２  第１熱交換器戻り配管、４３  ヒートポンプ往き配管、４４  ヒートポンプ戻り配管、４５  送水配管、４６  第１温水配管、４７  第２温水配管、４８  第３温水配管、４９  第４温水配管、５０  第５温水配管、５１  熱交換器往き配管、５２  第１給湯配管、５３  第６温水配管、５４  第２熱交換器戻り配管、５５  第２給湯配管、５６  第３給湯配管、５７  流量センサ、６０  制御部、７０  リモコン装置、７０ａ  表示部、７０ｂ  操作部、８０  浴槽、８１  浴槽アダプタ
【図１】
2020106179.tif 000003
【図２】
2020106179.tif 000004
【図３】
2020106179.tif 000005
【図４】
2020106179.tif 000006
【図５】
2020106179.tif 000007
【図６】
2020106179.tif 000008
【図７】
2020106179.tif 000009
【図８】
2020106179.tif 000010
【図９】
2020106179.tif 000011
【図１０】
2020106179.tif 000012
【図１１】
2020106179.tif 000013